(57)【要約】【課題】身体快適吊り状態と使用隠ぺい状態を可能にするズボン吊り用具を提供する。【解決手段】  ズボン吊りの止め部の構造にＵ字型受け具を設けた。また、吊り帯にて２つのＵ字型受け具を結び、その中央部と一方の端部を支えベルトでつないだ閉鎖空間に片腕を投入し装着する構造にした。【選択図】図１
2010095838.tif 000002
【特許請求の範囲】
【請求項１】
ズボン吊りの止め部の構造において、Ｕ字型を形成した硬質の受け具の片側上端部に止め具を設け、もう一方の片側上端部に吊り帯を連結する構造を特徴するズボン吊り用具。
【請求項２】
ズボン吊りの止め部の構造において、それぞれの吊り帯の先端を、ズボンの内側に配置されるＵ字型を形成した受け具であり、ズボン吊りの上から着用したワイシャツ等の衣類下側をＵ字型中心空間部分に収納可能にした受け具のＵ字型片側上端部に連結させ、受け具のもう一方の片側上端部に、ズボンと受け具を止めるための止め具を設けたことを特徴するズボン吊り用具。
【請求項３】
吊り帯の構造において、２つの受け具を、それぞれの片側上端部と長さ調整可能な一本の吊り帯で連結し、その吊り帯の中心部と片方の受け具の同片側上端部とを長さ調整可能な支えベルトで連結した構造にしたことを特徴とする請求項１又は請求項２記載のズボン吊り用具。
【請求項４】
長さ調節孔を具備する場合がある受け具１を両端部に取り付けた吊り帯２と、その中央部と一方の端部を支えベルト４でつないだ閉鎖空間に片腕を投入し、ズボン６と接する受け具１の外側と、ズボン６とを止め具３で固定し、吊り帯２の上からワイシャツ等を着用後、ワイシャツ等の下部を受け具１に入れるようにすることを特徴とするズボン吊り用具。
【請求項５】
長さ調節孔を具備する場合がある受け具１を両端部に取り付けた吊り帯２と、その中央部と一方の端部を支えベルト４でつないだ閉鎖空間に片腕を投入した後、吊り帯２の上から下部を受け具１に入れるようにワイシャツ等５を着、次いで、ズボン６を身に付け、最後にズボン６と接する受け具１の外側と、ズボン６とを止め具３で固定することにより、吊り帯の装着者にかかる圧力を肩甲舌骨筋だけで無く、頸部にある１４種の筋肉郡に分散されて、痛みや凝りを防ぎ、併せて、使用隠ぺい状態を創出することを特徴とズボン吊りズボン吊り用具。
【請求項６】
ズボン吊りの止め部の構造において、それぞれの吊り帯の先端を、ズボンの内側に配置されるＵ字型を形成した受け具であり、ズボン吊りの上から着用したワイシャツ等の衣類下側をＵ字型中心空間部分に収納可能にした受け具のＵ字型片側上端部に連結させ、受け具のもう一方の片側上端部を、予めズボンに両面テープで固定、又は、縫い付けてされた引っ掛かりに引っ掛ける事ができる構造にしたことを特徴するズボン吊り用具。
【発明の詳細な説明】
【技術分野】
【０００１】  本発明は、身体にズボンを装着安定させる用具のうち、肩部からのけん引力を利用することを手段としているズボン吊り用具（一般的名称：サスペンダー）に関する。
【背景技術】
【０００２】  従来より必要とする多くの人が装着しているズボン吊り用具は、Ｘ型・Ｙ型・Ｈ型等存在するが、構造的には、両肩の鎖骨の中央部を頂点として吊り帯をワイシャツ等の上から垂らし、最先部にある止め具でダイレクトに止め、それぞれ、ズボンの前と後ろの上部を抑えつける形の物である。
例えば、肥満体質の人のように、ズボンの上部を一周させる状態で装着固定させる通常一般に使用されている腰ベルト用具ではズボンの装着安定ができ難い場合や、婚礼着用時にズボンを身に着ける時等に、現在まで普遍的に用いられている。【０００３】
【特許文献１】  特許出願平９−１５３００７
【発明の開示】
【発明が解決しようとする課題】
【０００４】  しかしながら、公知のズボン吊り用具の使用状態が、ワイシャツや開襟シャツ等の外側に装着する方法に限定されているので、吊り帯の存在を他人に見られて、例えば、肥満体質自体が強調される傾向を忌避するものがあり、その改善を望む要望が多々あった。【０００５】  また、この長年に亘って使用されてきた公知のＸ・Ｙ・Ｈ型ズボン吊り用具を装着した時には、吊り形態上、吊り帯の圧力が、左右共に両肩の鎖骨を守る肩甲舌骨筋だけ強く作用するために、装着している間中、常に不快な痛みを感じており、さらには、慢性的な肩凝りを誘発させる要因にもなっていた。
【課題を解決するための手段】
【０００６】  本発明者は、上記課題を解決するために鋭意研究した結果、吊り帯の下部に、新たに受け具を取り付けることで、ワイシャツ等の中側に吊り帯を入れる使用状態を可能にするという発明に到達した。
さらにまた、本発明者は、吊り帯の圧力が肩甲舌骨筋だけに強くかからないような新規な構造様式に到達した。【０００７】  本発明の請求項１にあたっては、ズボン吊りの止め部の構造において、Ｕ字型を形成した硬質の受け具の片側上端部に止め具を設け、もう一方の片側上端部に吊り帯を連結する構造を特徴するズボン吊り用具である。【０００８】  本発明の請求項２にあたっては、ズボン吊りの止め部の構造において、それぞれの吊り帯の先端を、ズボンの内側に配置されるＵ字型を形成した受け具であり、ズボン吊りの上から着用したワイシャツ等の衣類下側をＵ字型中心空間部分に収納可能にした受け具のＵ字型片側上端部に連結させ、受け具のもう一方の片側上端部に、ズボンと受け具を止めるための止め具を設けたことを特徴するズボン吊り用具である。【０００９】  本発明の請求項３にあたっては、吊り帯の構造において、２つの受け具を、それぞれの片側上端部と長さ調整可能な一本の吊り帯で連結し、その吊り帯の中心部と片方の受け具の同片側上端部とを長さ調整可能な支えベルトで連結した構造にしたことを特徴とする請求項１又は請求項２記載のズボン吊り用具である。【００１０】  本発明の請求項４にあたっては、長さ調節孔を具備する場合がある受け具１を両端部に取り付けた吊り帯２と、その中央部と一方の端部を支えベルト４でつないだ閉鎖空間に片腕を投入し、ズボン６と接する受け具１の外側と、ズボン６とを止め具３で固定し、吊り帯２の上からワイシャツ等を着用後、ワイシャツ等の下部を受け具１に入れるようにすることを特徴とするズボン吊り用具である。【００１１】  本発明の請求項５にあたっては、長さ調節孔を具備する場合がある受け具１を両端部に取り付けた吊り帯２と、その中央部と一方の端部を支えベルト４でつないだ閉鎖空間に片腕を投入した後、吊り帯２の上から下部を受け具１に入れるようにワイシャツ等５を着、次いで、ズボン６を身に付け、最後にズボン６と接する受け具１の外側と、ズボン６とを止め具３で固定することにより、吊り帯の装着者にかかる圧力を肩甲舌骨筋だけで無く、頸部にある１４種の筋肉郡に分散されて、痛みや凝りを防ぎ、併せて使用隠ぺい状態を創出することを特徴とズボン吊りズボン吊り用具である。【００１２】  本発明の請求項６にあたっては、ズボン吊りの止め部の構造において、それぞれの吊り帯の先端を、ズボンの内側に配置されるＵ字型を形成した受け具であり、ズボン吊りの上から着用したワイシャツ等の衣類下側をＵ字型中心空間部分に収納可能にした受け具のＵ字型片側上端部に連結させ、受け具のもう一方の片側上端部を、予めズボンに両面テープで固定、又は、縫い付けてされた引っ掛かりに引っ掛ける事ができる構造にしたことを特徴するズボン吊り用具である。
【発明の効果】
【００１３】  以上説明したように、本発明によれば、ズボン吊りをしていることを他の人に悟られないという精神的余裕が得ることができるようになる。【００１４】  また、ズボン吊りが見えないことにより、ズボンの固定のための着用としてではなく、装飾用として、軽く腰回しベルトを付加するという意識にも達する。【００１５】  また、吊り帯の構造を改善したことで、ズボン吊りを必要としている人が、吊り帯の装着者にかかる圧力を肩甲舌骨筋だけで無く、頸部にある１４種の筋肉郡に分散されて、痛みや凝りを防ぎ、今までのように肩に強い圧迫感を持たず、快適化がなされる。【００１６】  さらには、従来公知のＸ・Ｙ・Ｈ型ズボン吊り用具と異なり、本発明の請求項３、請求項４及び請求項５記載のズボン吊り用具は身体２点止め様式であることから、使用時の操作が簡便になり、また、特に暑い時期には風通しもよくなって、一層の身体快適化がなされる。【００１７】  なお、本発明においては、吊り帯２、支えベルト４共に材料は天然繊維でも合成繊維でも良く、さら、ゴム類でも良い。
また、受け具１は、形状を保持できるものであれば、プラスチックでも金属でも良い。
そして、本発明の受け具１を両端部に取り付けた吊り帯２とズボン６とを結びつける止め具３の材料も、形状を保持できるものであれば、プラスチックでも金属でも良い。
一方、止め具３に代わる両面テープについても、通常製造されているテープ材質と粘着剤材質とを組み合わせたもので良く、特に限定されない。
【発明を実施するための最良の形態】
【００１８】  以下、本発明の実施の形態を図１〜１０に基づいて説明する。【００１９】  本発明の請求項１、請求項２は、ズボン吊り用具（サスペンダー）の止め具の部分を改良し、ズボン吊り用具の使用隠ぺいを可能にしたものである。【００２０】  公知のズボン吊り用具の止め具の部分を、長さ１６ｃｍ、幅３．５ｃｍおよび厚さ０．２ｃｍの硬質塩化ビニール樹脂の中央部をＵ字型に折り曲げた受け具１の片端に吊り帯２を設け、もう一方の片端には止め具３を設けた。（参考図、図３・図４・図５）【００２１】  使用時は、素肌又は下着の状態で本発明の受け具部分を設けたズボン吊り用具を着用する（図２は公知のＸ型サスペンダーの止め具部分に本発明を設けた状態の図）
その際、受け具１はズボン６の中へＵ字型の下部分が下に来るように入れ、また、止め具３は外側にある状態でズボン６を止める。全ての止め具３をズボン６に止めたら（Ｘ型サスペンダーの場合は４箇所）、ワイシャツ等５を着る。【００２２】  そして、ワイシャツ等５の下部分をズボン６の中にいれる。その際、受け具１がＵ字型のため、Ｕ字型の中央空間部分にワイシャツ等５の下部分を入れることができるので、公知のサスペンダーでは不可能だった、サスペンダーの上にワイシャツを着て、下部分はズボンに入れると言うことが可能となる。また、その状態は外に見える部分というのは止め具３のみでありズボン吊り用具の隠ぺいが可能となった。（参考、図７・図８）【００２３】  また、受け具１は硬質塩化ビニール樹脂のため、硬質のＵ字型であるが、図６の様に両端がくっつく様になっているので、ズボン６を履いた状態でも受け具１が邪魔になることがない。【００２４】  本発明の請求項３、請求項４、請求項５は、主に請求項１、請求項２の発明を設けたズボン吊り用具（サスペンダー）の吊り帯の部分を改良し、ズボン吊り用具の身体快適吊りを可能にしたものである【００２５】  請求項１又は請求項２記載の受け具１を両端部に取り付けた長さ調節可能な長さ１００ｃｍ、幅２ｃｍおよび厚さ０．２ｃｍの綿材質の吊り帯２の真中と一方の端とを連結させた長さ調節可能な長さ５０ｃｍ、幅２ｃｍおよび厚さ０．２ｃｍの綿材質の支えベルト４からなるズボン吊り用具を製造した。（図１参照）
しかる後、図９の様に、吊り帯２と支えベルト４の間につくられた閉鎖空間に片腕を投入し、受け具１を止め具３にてズボン６に止め本発明を装着する。
（素肌に本発明を装着した状態が図９、その上にワイシャツ等５を着用した状態が図１０）【００２６】  吊り帯２のみでもズボン６を支えることはできるが、吊り帯２のみでは、吊り帯２が突っ張ることにより首に力が掛かり肩がこってしまうため、支えベルト４で、首に力がかかるのを防ぐ。特徴は支えベルト４を片側にしか設けないことであり、片側のみに設けることにより肩がこらない効果がある。【００２７】  また、吊り帯２及び支えベルト４の長さ調節機能については、受け具１に長さ調節孔を設ける形でもよい。【００２８】  また、請求項６は、上記方法の受け具１に止め具３を設けずに、ズボン６に予め受け具１を固定するための引っ掛かりをズボン６に縫い付けておくか、不織布のテープとアクリル樹脂系粘着剤からなる両面テープ等で接合しておき、その引っ掛かりに受け具１を固定する方法である。
この場合、完全にズボン吊り用具の使用隠ぺいが可能である。
【図面の簡単な説明】
【００２９】
【図１】本発明吊り帯及び受け具の立面図である。
【図２】本発明受け具を取り付けたＸ型サスペンダーの立面図である。
【図３】本発明受け具の側面図である。
【図４】本発明受け具の正面図である。
【図５】本発明受け具の立面図である。
【図６】本発明受け具の湾曲した状態の側面図である。
【図７】本発明受け具の装着時の側面図である。
【図８】本発明受け具の装着時の正面図である。
【図９】本発明吊り帯及び受け具の装着立面図１である。
【図１０】本発明吊り帯及び受け具の装着立面図２である。
【符号の説明】
【００３０】１受け具
２吊り帯
３止め具
４支えベルト
５ワイシャツ等
６ズボン
【図１】
2010095838.tif 000003
【図２】
2010095838.tif 000004
【図３】
2010095838.tif 000005
【図４】
2010095838.tif 000006
【図５】
2010095838.tif 000007
【図６】
2010095838.tif 000008
【図７】
2010095838.tif 000009
【図８】
2010095838.tif 000010
【図９】
2010095838.tif 000011
【図１０】
2010095838.tif 000012